(57)【要約】 【課題】    袋の開口周縁側に装着され、袋内内容物を袋内からスムーズに排出するようにした袋内内容物排出用の着脱可能な開閉型キャップを提供することにある。【解決手段】    袋内内容物を袋ａ内からスムーズに排出するために袋ａの開口部ｂに一部挿入される物であって、両端が開口されその一端側が袋ａの開口部ｂに一部挿入され内部が袋内内容物が排出される際の排出通路となる筒状体２を設け、内容物排出口側となる筒状体２の端部を開閉する蓋３を設け、袋ａの開口周縁側を外側から覆うようにして筒状体２の外周側面に包み込みながら密着して係止させる環状帯の係止弾性材４を筒状体２の外周側面に固定リング６により取り付け、係止弾性材４の先端に係止弾性輪５を形成し、袋ａの開口部ｂに挿入される筒状体２の外周側面に周面周りに係止弾性材４の係止弾性輪５が係止される係止溝７を形成した。【選択図】        図１
2007320577.tif 000002
【特許請求の範囲】
【請求項１】
袋内内容物を袋内からスムーズに排出するために袋の開口部に一部挿入される物であって、両端が開口されその一端側が袋の開口部に一部挿入され内部が袋内内容物が排出される際の排出通路となる筒状体を設け、内容物排出口側となる筒状体の端部を開閉する蓋を設け、袋の開口周縁側を外側から覆うようにして筒状体の外周側面に包み込みながら密着して係止させる環状帯の係止弾性材を筒状体の外周側面に固定リングにより取り付け、係止弾性材の先端に係止弾性輪を形成し、袋の開口部に挿入される筒状体の外周側面に周面周りに係止弾性材の係止弾性輪が係止される係止溝を形成したことを特徴とする袋内内容物排出用の着脱可能な開閉型キャップ。
【請求項２】
袋内内容物を袋内からスムーズに排出するために袋の開口部に一部挿入される物であって、両端が開口されその一端側が袋の開口部に一部挿入され内部が袋内内容物が排出される際の排出通路となる筒状体を設け、内容物排出口側となる筒状体の端部を開閉する蓋を設け、筒状体の袋の開口部に挿入される側となる挿入先端口を袋の開口部に挿入しやすいように傾斜面に形成し、袋の開口周縁側を外側から覆うようにして筒状体の外周側面に包み込みながら密着して係止させる環状帯の係止弾性材を筒状体の外周側面に固定リングにより取り付け、係止弾性材の先端に係止弾性輪を形成し、袋の開口部に挿入される筒状体の外周側面に周面周りに係止弾性材の係止弾性輪が係止される係止溝を形成したことを特徴とする袋内内容物排出用の着脱可能な開閉型キャップ。
【請求項３】
袋内内容物を袋内からスムーズに排出するために袋の開口部に一部挿入される物であって、両端が開口されその一端側が袋の開口部に一部挿入され内部が袋内内容物が排出される際の排出通路となる筒状体を設け、内容物排出口側となる筒状体の端部を開閉する蓋を設け、筒状体の袋の開口部に挿入される側となる挿入先端口を袋の開口部に挿入しやすいように傾斜面に形成し、袋の開口周縁側を外側から覆うようにして筒状体の外周側面に包み込みながら密着して係止させる環状帯の係止弾性材を筒状体の外周側面に固定リングにより取り付け、係止弾性材の先端に係止弾性輪を形成し、袋の開口部に挿入される筒状体の外周側面に周面周りに係止弾性材の係止弾性輪が係止される係止溝を形成し、係止弾性材で締め付けられて覆われた袋の開口周縁側を係止弾性材の表面側を締め付ける補強用係止弾性輪を設けたことを特徴とする袋内内容物排出用の着脱可能な開閉型キャップ。
【発明の詳細な説明】
【技術分野】
【０００１】
本発明は、袋内内容物例えば砂糖・塩などの紛粒物を袋内からスムーズに排出する際に、袋の開口周縁側に装着される袋内内容物排出用の着脱可能な開閉型キャップに関するものである。
【背景技術】
【０００２】
袋内内容物例えば砂糖・塩などの紛粒物を袋内からスムーズに排出するために袋の開口周縁側には開閉型キャップが装着されることがある。このようなキャップとして、特表２００２−５０３６００が出願されている。
【特許文献１】特表２００２−５０３６００
【発明の開示】
【発明が解決しようとする課題】
【０００３】
しかしながら、上記特表２００２−５０３６００は、挿入先端口が水平になっているため、先端口の周縁長さが袋の開口内周縁長さより、短いと挿入することが困難である。
【０００４】
また、雄ネジと雌ネジのわずかな隙間に袋の開口周縁側を挟み込んで、締め付ける構造になっている。この雄ネジと雌ネジのわずかな隙間に袋の開口縁側をはさみこむのは容易ではなく、手間と時間がかかり、簡単に装着することができない。
即ち、隙間がわずかしかないため、袋の開口周縁側が雄ネジと雌ネジの隙間に均等に分散されずに一部が、特定部分に集中的に集まって部分的に厚くなると、そのわずかな隙間に入らず、雄ネジと雌ネジで袋の開口周縁側を締め付けることができない。
【０００５】
また、ねじ込み式のため、何回も回す必要があり手間がかかり面倒である。
【０００６】
また、強く締め付けて装着している場合には、袋内の内容物を使い切ってキャップを取り外す場合、強い力で外す必要があり大変である。  
【０００７】
また、ねじ込み式であるため袋の材質が弱い場合には、袋の開口周縁側の一部が雄ネジと雌ネジの装着中にねじ込みの途中で切れることがあり、そのため外れたり、切れ口から袋の内容物がもれ出ることがある。
【０００８】
また、最初の装着に不具合があり、再度、装着をやり直す場合、最初の締め付けにより、袋の開口周縁側に傷が付き再度の締め付け時にその部分が弱くなるため、その部分を避けて、それよりも下側を締め付けなければならず、再度の装着は面倒となる。
【０００９】
また、雄ネジと雌ネジの間に袋の開口先端側をはさむ構造であるため、袋の開口先端が雄ネジと雌ネジの間から一部突出し、突出した袋の開口先端とキャップの外周側面との隙間に、ごみや内容物の一部がたまり衛生的でない。
【００１０】
本発明は、上記のように課題に鑑み、その課題を解決すべく創案されたものであって、その目的とするところは、袋の開口周縁側に装着され、袋内内容物を袋内からスムーズに排出するようにした袋内内容物排出用の着脱可能な開閉型キャップを提供することにある。
【課題を解決するための手段】
【００１１】
請求項１の発明は、袋内内容物を袋内からスムーズに排出するために袋の開口部に一部挿入される物であって、両端が開口されその一端側が袋の開口部に一部挿入され内部が袋内内容物が排出される際の排出通路となる筒状体を設け、内容物排出口側となる筒状体の端部を開閉する蓋を設け、袋の開口周縁側を外側から覆うようにして筒状体の外周側面に包み込みながら密着して係止させる環状帯の係止弾性材を筒状体の外周側面に固定リングにより取り付け、係止弾性材の先端に係止弾性輪を形成し、袋の開口部に挿入される筒状体の外周側面に周面周りに係止弾性材の係止弾性輪が係止される係止溝を形成したことにより、上記課題を解決したものである。
【００１２】
請求項2の発明は、袋内内容物を袋内からスムーズに排出するために袋の開口部に一部挿入される物であって、両端が開口されその一端側が袋の開口部に一部挿入され内部が袋内内容物が排出される際の排出通路となる筒状体を設け、内容物排出口側となる筒状体の端部を開閉する蓋を設け、筒状体の袋の開口部に挿入される側となる挿入先端口を袋の開口部に挿入しやすいように傾斜面に形成し、袋の開口周縁側を外側から覆うようにして筒状体の外周側面に包み込みながら密着して係止させる環状帯の係止弾性材を筒状体の外周側面に固定リングにより取り付け、係止弾性材の先端に係止弾性輪を形成し、袋の開口部に挿入される筒状体の外周側面に周面周りに係止弾性材の係止弾性輪が係止される係止溝を形成したことにより、上記課題を解決したものである。
【００１３】
請求項3の発明は、袋内内容物を袋内からスムーズに排出するために袋の開口部に一部挿入される物であって、両端が開口されその一端側が袋の開口部に一部挿入され内部が袋内内容物が排出される際の排出通路となる筒状体を設け、内容物排出口側となる筒状体の端部を開閉する蓋を設け、筒状体の袋の開口部に挿入される側となる挿入先端口を袋の開口部に挿入しやすいように傾斜面に形成し、袋の開口周縁側を外側から覆うようにして筒状体の外周側面に包み込みながら密着して係止させる環状帯の係止弾性材を筒状体の外周側面に固定リングにより取り付け、係止弾性材の先端に係止弾性輪を形成し、袋の開口部に挿入される筒状体の外周側面に周面周りに係止弾性材の係止弾性輪が係止される係止溝を形成し、係止弾性材で締め付けられて覆われた袋の開口周縁側を係止弾性材の表面側を締め付ける補強用係止弾性輪を設けたことにより、上記課題を解決したものである。
【発明の効果】
【００１４】
挿入先端口が傾斜しているため、先端口の周縁長さが袋の開口内周縁長さより短くても挿入することができ、又、袋の材質は伸びやすいビニール製などでできているため、容易に差し込むことができる効果がある。
【００１５】
袋の開口周縁側を係止弾性材で外側から覆うようにして、キャップの外周側面に包み込むため、従来のようにわずかな隙間にはさみこむ場合に比べて装着は容易となる効果がある。
【００１６】
係止弾性材を外側から包み込むようにして装着するので、ねじ込み式のように何回も回す必要もなく、手間もかからず簡単に装着できる効果がある。
【００１７】
袋を外側から包み込んでいる係止弾性材は弾性材であるため、袋からキャップを取り外す場合、両側を手で引っ張ることで簡単にのびて外すことができる効果がある。
【００１８】
袋の開口周縁側を外側から包み込むため、ねじ込み式のように袋の開口周縁側の一部が切れたり、キズが付いたりすることがない。その結果、内容物の一部がもれ出ることもない効果がある。
【００１９】
袋の開口周縁側を外側から包み込むため、袋の開口周縁側の一部が切れたり、キズが付いたりすることがなく、装着のやり直しをする場合、同じ箇所に何度も装着することができ、従来のように、装着箇所を変える必要がない効果がある。
【００２０】
キャップの外周側面に周回りに係止溝を形成し、係止弾性材の先端に係止溝に係止する係止弾性輪を設けることで係止弾性材と外周側面との間に袋の開口周縁側は、締め付けられてはさまる。これにより、袋の開口周縁側が簡単に外れるのを防ぐ効果がある。
【００２１】
袋の開口先端側は係止弾性材で覆われて、外部に露出するため、袋の開口先端側と外周側面との間にごみや内容物の一部がたまることがなく、非衛生的になることはない。
【発明を実施するための最良の形態】
【００２２】
本発明の袋内内容物排出用の着脱可能な開閉型キャップ１は、袋内内容物例えば砂糖・塩などの紛粒物を袋内からスムーズに排出するために袋ａの開口周縁側には開閉型キャップが装着されるものである。
【００２３】
開閉型キャップ１は、両端が開口された例えば円筒形状の筒状体２、筒状体２の一端を開閉する蓋３、筒状体２の外周側面に取り付けられた係止弾性材４、係止弾性材４の先端に形成された係止弾性輪５、係止弾性材４を筒状体２の外周側面に固定する固定リング６、筒状体２の外周側面に形成された係止溝７などから構成されている。
【００２４】
筒状体２は円筒形状からなり、その内部は空洞からなり、その両端は開口されていて、その一端には挿入先端口８が形成され、他端には排出口９が形成されている。筒状体２は、内部の空洞部分が開閉型キャップ１を袋ａの開口先端側に装着したとき袋内部の内容物が排出される際の排出通路２ａとなる部分である。
【００２５】
筒状体２の一端には袋ａの開口先端側に挿入される挿入先端口８が形成されている。挿入先端口８は袋ａの開口部ｂに挿入しやすいように傾斜している。筒状体２が円筒形状の場合、挿入先端口８は楕円形状になっていて、楕円形状の長軸側の先端側から袋ａの開口部ｂに挿入される。
【００２６】
挿入先端口８と反対側となる筒状体２の他端には排出口９が形成されている。排出口９は袋内内容物が排出される際の出口で、例えば円形の形状をしていて、袋内内容物は挿入先端口８から筒状体２の排出通路２ａを通り、排出口９から袋内内容物がスムーズに排出されるようになっている。
【００２７】
蓋３は筒状体２の他端に形成された排出口９に装着される。図面では、排出口９の外周に嵌合されて排出口９を開閉する。蓋３は連結片３ａによって筒状体２に連結されている。すなわち、連結片３ａはその一端が蓋３に連結され、他端が筒状体２の排出口９近くに連結されている。また、蓋３にはこの蓋３が開きやすいように引掛片３ｂが外周側の一部に突出して形成されている。
【００２８】
係止弾性材４は袋ａの開口周縁側を外側から覆うようにして、筒状体２の外周側面に包み込みながら密着して係止させるものである。係止弾性材４は例えばゴム製の環状帯から構成されている。ゴム製の環状帯からなる係止弾性材４の先端には、膨らみのある係止弾性輪５が環状に一体的に形成されている。この係止弾性輪５は例えばゴム風船の空気注入口端に似た形状になっている。
【００２９】
固定リング６は係止弾性材４を外周側面に固定するもので、例えばバンド状のものからなり、係止弾性材４の外周側に装着されて、係止弾性材４を筒状体２の外周側面に向けて押圧して圧着させた状態で固定させる。固定リング６は非装着時には裏返し状態の係止弾性材４によって覆われていて外部から見えない状態になっている。
【００３０】
係止溝７は筒状体２の外周側面に周面周りに形成されている。係止溝７は係止弾性材４を固定する固定リング６の取り付け位置より挿入先端口８寄り側に形成されている。係止溝７は係止弾性材４の係止弾性輪５が係止される溝で、係止弾性材４の係止弾性輪５はこの係止溝７に係止されることで外れる方向にずれるのが防がれる。
【００３１】
補強用係止弾性輪１０は係止弾性材４で袋ａの開口周縁側を締め付けて覆う場合において、簡単に外れないようにこれを補強するためのもので、必要に応じて取り付けられる。補強用係止弾性輪１０はゴム製の環状帯からなり、係止弾性輪５の形状に似た膨らみが複数段形成された形状から構成されている。
【００３２】
次に、上記発明を実施するための最良の形態の構成に基づく開閉型キャップの使用方法について以下説明する。
【００３３】
例えば、砂糖や塩などが入った袋ａの角部を斜めに切断して袋ａの開口部ｂをつくり、その開口部ｂに開閉型キャップ１の筒状体２の一端に形成された挿入先端口８を差し込む。
【００３４】
このとき、挿入先端口８が傾斜しているため、挿入先端口８の周縁長さが袋ａの開口内周縁長さより短くても挿入することができ、又、袋ａの材質は伸びやすいビニール製などでできているため、容易に差し込むことができる。また、挿入する際には係止溝７が袋ａの内部に完全に挿入されるように差し込むと共に、係止弾性材４の取り付け位置近くまで差し込む。
【００３５】
次に、筒状体２の差し込んだ部分の外側に位置する袋ａの開口周縁側を係止弾性材４で外側から覆うために、係止弾性材４の先端側の係止弾性輪５を指で掴んで、これを袋ａ側に向けて引きおろす。引きおろされた係止弾性材４は袋ａの開口周縁側を外側から締め付けながら覆う。
【００３６】
引きおろした係止弾性材４の先端側の係止弾性輪５を、袋ａの開口周縁側の外側から筒状体２の外周側面に形成された係止溝７上に引っ掛けて係止させる。係止弾性輪５は袋ａを介在して係止溝７に係止されることになり、係止弾性材４の係止弾性輪５がこの係止溝７に係止されることで係止弾性材４は外れる方向にずれるのが防がれる。
【００３７】
また、必要に応じて補強用係止弾性輪１０が取り付けられている場合には、係止弾性材４側に向けてスライドさせて係止弾性材４の外周側を締め付ける。これにより、袋ａの開口周縁側は係止弾性材４と補強用係止弾性輪１０によって、さらに強く締め付けられることになり、より外れにくくなる。
【００３８】
蓋３の引掛片３ｂに指を押し当てることにより、筒状体２の排出口９を塞いでいた蓋３を簡単に開けて、袋を傾けて袋ａの開口側が下向きになるようにすると、袋内内容物は挿入先端口８から筒状体２の排出通路２ａを通り、排出口９からスムーズに排出される。
【００３９】
袋内内容物を使い切って袋ａが空になると、袋ａの開口周縁側を外側から締め付けて覆っていた係止弾性材４を外す。この取り外しは係止溝７上に係止されていた係止弾性輪５を指を使って元に戻し、係止弾性材４を袋ａの開口部ｂから引き抜くことにより、簡単に行なうことができる。この場合において、必要に応じて補強用係止弾性輪１０が取り付けられている時には、係止弾性材４を外す前に補強用係止弾性輪１０を事前に外しておく。
【図面の簡単な説明】
【００４０】
【図１】本発明を実施するための最良の形態を示す開閉型キャップを袋に挿入中の斜め下から見た斜視図である。
【図２】本発明を実施するための最良の形態を示す開閉型キャップを袋に挿入中の側面図である。
【図３】本発明を実施するための最良の形態を示す開閉型キャップを袋に挿入中の断面図である。
【図４】本発明を実施するための最良の形態を示す開閉型キャップの部分拡大断面図である。
【図５】本発明を実施するための最良の形態を示す開閉型キャップを袋に挿入中の係止弾性材の装着途中の側面図である。
【図６】本発明を実施するための最良の形態を示す開閉型キャップを袋に挿入中の係止弾性材の装着後の側面図である。
【図７】本発明を実施するための最良の形態を示す補強用係止弾性輪を備えた開閉型キャップを袋に挿入中の斜め下から見た斜視図である。
【図８】本発明を実施するための最良の形態を示す補強用係止弾性輪を備えた開閉型キャップを袋に挿入中の側面図である。
【図９】本発明を実施するための最良の形態を示す補強用係止弾性輪を備えた開閉型キャップを袋に挿入中の断面図である。
【図１０】本発明を実施するための最良の形態を示す補強用係止弾性輪を備えた開閉型キャップを袋に挿入中の係止弾性材の装着途中の側面図である。
【図１１】本発明を実施するための最良の形態を示す補強用係止弾性輪を備えた開閉型キャップを袋に挿入中の係止弾性材の装着後の側面図である。
【図１２】本発明を実施するための最良の形態を示す補強用係止弾性輪を備えた開閉型キャップを袋に挿入中の係止弾性材及び補強用係止弾性輪の装着後の側面図である。
【図１３】本発明を実施するための最良の形態を示す袋の斜視図である。
【符号の説明】
【００４１】
１、開閉型キャップ
２、筒状体
３、蓋
３ａ、連結片
３ｂ、引掛片
４、係止弾性材
５、係止弾性輪
６、固定リング
７、係止溝
８、挿入先端口
９、排出口
１０、補強用係止弾性輪
ａ、袋
ｂ、（袋の）開口部
【図１】
2007320577.tif 000003
【図２】
2007320577.tif 000004
【図３】
2007320577.tif 000005
【図４】
2007320577.tif 000006
【図５】
2007320577.tif 000007
【図６】
2007320577.tif 000008
【図７】
2007320577.tif 000009
【図８】
2007320577.tif 000010
【図９】
2007320577.tif 000011
【図１０】
2007320577.tif 000012
【図１１】
2007320577.tif 000013
【図１２】
2007320577.tif 000014
【図１３】
2007320577.tif 000015